(57)【要約】【課題】アナログ受信とデジタル受信など複数の受信機能を搭載するテレビ受信機のサーチ時間を高速化する。【解決手段】複数のテレビジョン放送に対応し、チューナ部共通とする構成のテレビ受信装置において、プリセットチャンネルは、デジタル方式の地上波テレビジョン放送で使われる搬送波の中心周波数が、アナログ方式地上波テレビジョン放送やデジタル方式ケーブル対応テレビジョン放送で使われる搬送波の中心周波数よりオフセットされて運用されるチャンネル配置でも、前記オフセットされた周波数を考慮しない周波数でのチューナ設定により順次チャンネルを選局し、受信部からの放送波検結果、および放送波解析結果に基づきテレビジョン放送の種類別にチャンネルリストを作成することを特徴とするテレビ受信装置。【選択図】図３
2006186516.tif 000002
【特許請求の範囲】
【請求項１】
アナログ方式の地上波テレビジョン放送信号を受信、復調し、映像信号および音声信号として出力するアナログ信号受信部と、デジタル方式の地上波テレビジョン放送信号を受信、復調および復号し、映像信号および音声信号として出力するデジタル信号受信部と、デジタル方式のケーブル対応テレビジョン放送信号を受信、復調および復号し、映像信号および音声信号として出力するデジタル信号受信部の内、デジタル方式の地上波テレビジョン放送信号を含む少なくとも２種類以上の受信部の機能を持つ複合型受信部であり、該受信装置の信号受信部のチューナ部、および複合部は共通に使用するため１つで構成され、該複合型受信部の復調と複合処理を制御する制御回路と、該復調と複合処理に用いられるプログラム，各種制御情報を少なくとも記憶し、処理途中の中間情報、プリセットチャンネルを記憶する領域を少なくとも有する記憶回路とを備える、同周波数帯域で伝送する複数のテレビジョン放送方式に対応する受信装置において、
該受信装置のプリセットチャンネルの設定時に、前記制御部は、
デジタル方式の地上波テレビジョン放送で使われる搬送波の中心周波数が、アナログ方式地上波テレビジョン放送やデジタル方式ケーブル対応テレビジョン放送で使われる搬送波の中心周波数よりオフセットされて運用されるチャンネル配置で、
前記オフセットされた周波数を考慮しない周波数でのチューナ設定により、順次チャンネルを選局し、受信部からの放送波検結果、および放送波解析結果に基づきテレビジョン放送の種類別にプリセットチャンネルに対応したチャンネルリストを作成することを特徴とする受信装置。
【請求項２】
請求項１に記載の受信装置は、デジタル方式の地上波テレビジョン放送と、デジタル方式のケーブル対応テレビジョン放送に対応する受信部で構成され、受信部からの放送波検出結果は復調部からの同期信号であることを特徴とする受信装置。
【請求項３】
請求項１に記載の受信装置は、デジタル方式の地上波テレビジョン放送と、アナログ方式の地上波テレビジョン放送に対応する受信部で構成され、受信部からの放送波検出結果は復調部からの同期信号であり、両方の受信部から同期信号の検出がある場合には、該結果を反映させチャンネルリストを作成することを特徴とする受信装置。
【発明の詳細な説明】
【技術分野】
【０００１】
本発明は、デジタルテレビなどの受信装置において、プリセット動作の速い選局方法を有する受信装置を提供するものである。
【背景技術】
【０００２】
国内では２００３年にケーブル、衛星放送のデジタル化に続き、地上波もデジタル放送化が開始された。地上デジタルテレビ放送は２００６年に全国展開予定で、衛星およびケーブルのデジタル化も含め本格的なテレビジョンのデジタル化普及時期に突入する。一方、地上波のアナログ放送も２０１１年停波までには時間もあり、依然としてテレビ受信機にはアナログ受信機能が必要である。
【０００３】
これにより受信機にはアナログ受信とデジタル受信などの複数の受信機能を搭載する機種が増加しており、デジタル放送対応受信機の普及にはこれら機能追加に伴うコストアップと、テレビ受信機設置時に必須となるサーチ時間の増加を抑える必要がある。受信部でのサーチ時間の高速化とコストダウンが課題となってくる。
【０００４】
アナログ放送とデジタル放送に対応した受信機のサーチ時間の高速化については、例えば、特許文献１の受信装置に開示されており（第２２頁第６図参照）、その開示内容により、チャンネルのプリセットは効率良く実施できることが知られている。
【０００５】
上記特許は、アナログ方式の放送信号に加えて複数のデジタル方式の放送信号が受信可能なケーブル放送の受信装置において、チャンネル毎の信号の有無の検出、および信号形式および送信モードを含むチャンネルのプリセットに必要となる時間を短縮させることを目的としたものである。
【０００６】
なお、ケーブル放送では、テレビジョン信号をケーブル伝送する際の干渉を抑圧するために、３種類の送信モード（スタンダード、ＩＲＣ：Ｉｎｃｒｅｍｅｎｔａｌ  Ｒｅｌａｔｅｄ  Ｃａｒｒｉｅｒｓ、ＨＲＣ：Ｈａｒｍｏｎｉｃ  Ｒｅｌａｔｅｄ  Ｃａｒｒｉｅｒｓ）を設定しており、ケーブル放送の各チャンネルの送信モードは、上記３種類の送信モードのいずれか１つに設定される。
【０００７】
上記特許は、受信装置のプリセットチャンネルの設定時に、制御部は、アナログ信号形式では中心周波数が送信モードにより異なり、デジタル信号形式では中心周波数が特定の送信モードの場合と特定の送信モードではない場合とがある特定チャンネルについて、アナログ信号形式の各送信モードか、デジタル信号形式の特定送信モードかをプリサーチして記憶し、プリサーチにより特定チャンネルの信号種別と送信モード種別が既知の場合には、その信号種別および送信モードの情報を利用して、特定チャンネル以外のチャンネルの送信モードの信号を検出することを特徴としている。
【特許文献１】特開２００３−２３００６０号公報
【発明の開示】
【発明が解決しようとする課題】
【０００８】
上記受信装置のサーチ方法は、信号干渉を抑圧することを目的とした複数の送信モードを運用規定の中で１本化されないケーブル放送の環境においてのみ、そのサーチ時間短縮に効果があるに過ぎない。
【０００９】
国内では２００３年にケーブル、衛星放送のデジタル化に続き、地上波もデジタル放送化が開始された。地上デジタルテレビ放送は２００６年に全国展開予定で、衛星およびケーブルのデジタル化も含め本格的なテレビジョンのデジタル化普及時期に突入する。
【００１０】
一方、地上波のアナログ放送も２０１１年停波までには時間もあり、依然としてテレビ受信機にはアナログ受信機能が必要である。
【００１１】
電波による地上波放送では、ＮＴＳＣによるアナログ放送とＯＦＤＭ変調方式によるデジタル放送が用いられ、ケーブル放送では、ＮＴＳＣ方式によるアナログ放送、ＯＦＤＭ変調方式によるデジタル放送とＱＡＭ変調方式によるデジタル放送が用いられる。ＯＦＤＭ変調方式のデジタル放送では、地上波での伝送、ケーブルでの伝送ともにＮＴＳＣ方式によるアナログ放送への干渉を抑圧するために、搬送波の中心周波数を＋１／７ＭＨｚオフセットさせることが省令により明記されている。なお、各放送波を伝送する搬送波の中心周波数は固定に設定されている。
【００１２】
今後、受信機にはアナログ受信とデジタル受信などの複数の受信機能を搭載する機種が増加し、デジタル放送対応受信機の普及にはこれら機能追加に伴うコストアップと、テレビ受信機設置時に必須となるサーチ時間の増加を抑える必要がある。受信部でのサーチ時間の高速化とコストダウンが課題となってくる。
【００１３】
複数の受信機能を搭載する受信機におけるサーチ時間の短縮としては個別受信部の独立同時動作による短縮化が比較的容易に想像できる。一方、この内地上波のデジタル放送、アナログ放送とデジタルケーブルは伝送方式は異なるものの使用周波数帯はＶＨＦ〜ＵＨＦと共通であることから、独立したそれぞれの受信部からチューナ部の共通化がコストダウンのアイテムとして考えられる。しかし、地上波デジタル放送と、地上波アナログ放送あるいはデジタルケーブルの搬送波の中心周波数は１／７ＭＨｚ異なるため、地上波デジタル放送と上記放送との複合受信装置では、同一チャンネルにおいてもそれぞれの受信部における個別の選局が強いられ、個別受信部の独立動作によるプリセットサーチ時間の短縮化が図れない。
【００１４】
本発明は、アナログ受信とデジタル受信などの複数の受信機能を搭載するテレビ受信機のサーチ時間の高速化とコストダウンの課題に対して、チューナの共通化とサーチ時間の高速化を両立した受信装置を提供するものである。
【課題を解決するための手段】
【００１５】
前記課題を解決するために、本願第一の発明にかかるテレビ受信装置は、アナログ方式の地上波テレビジョン放送信号を受信、復調し、映像信号および音声信号として出力するアナログ信号受信部と、デジタル方式の地上波テレビジョン放送信号を受信、復調および復号し、映像信号および音声信号として出力するデジタル信号受信部と、デジタル方式のケーブル対応テレビジョン放送信号を受信、復調および復号し、映像信号および音声信号として出力するデジタル信号受信部の内、デジタル方式の地上波テレビジョン放送信号を含む少なくとも２種類以上の受信部の機能を持つ複合型受信部であり、該受信装置の信号受信部のチューナ部、および複合部は共通に使用するため１つで構成され、該複合型受信部の復調と複合処理を制御する制御回路と、該復調と複合処理に用いられるプログラム、各種制御情報を少なくとも記憶し、処理途中の中間情報、プリセットチャンネルを記憶する領域を少なくとも有する記憶回路とを備える、同周波数帯域で伝送する複数のテレビジョン放送方式に対応する受信装置において、
該受信装置のプリセットチャンネルの設定時に、前記制御部は、デジタル方式の地上波テレビジョン放送で使われる搬送波の中心周波数が、アナログ方式地上波テレビジョン放送やデジタル方式ケーブル対応テレビジョン放送で使われる搬送波の中心周波数よりオフセットされて運用されるチャンネル配置で、前記オフセットされた周波数を考慮しない周波数でのチューナ設定により、順次チャンネルを選局し、受信部からの放送波検結果、および放送波解析結果に基づきテレビジョン放送の種類別にプリセットチャンネルに対応したチャンネルリストを作成することを特徴とする。
【００１６】
これにより、チューナの共通化とサーチ時間の高速化を両立したテレビ受信装置を提供できる。
【００１７】
また、本願第二の発明にかかるテレビ受信装置は、第一の発明にかかるテレビ受信装置において、デジタル方式の地上波テレビジョン放送と、デジタル方式のケーブル対応テレビジョン放送に対応する受信部で構成され、受信部からの放送波検出結果は復調部からの同期信号であることを特徴とし、チューナの共通化とサーチ時間の高速化を両立したテレビ受信装置を提供できる。
【００１８】
さらに、本願第三の発明にかかるテレビ受信装置は、第一の発明にかかるテレビ受信装置において、デジタル方式の地上波テレビジョン放送と、アナログ方式の地上波テレビジョン放送に対応する受信部で構成され、受信部からの放送波検出結果は復調部からの同期信号であり、両方の受信部から同期信号の検出がある場合には、該結果を反映させチャンネルリストを作成することを特徴とし、チューナの共通化とサーチ時間の高速化を両立したテレビ受信装置を提供できる。
【発明の効果】
【００１９】
以上のように、本発明のテレビ受信装置によれば、地上波デジタル放送と、地上波アナログ放送あるいはデジタルケーブルの搬送波の中心周波数が１／７ＭＨｚ異なる放送環境下における、アナログ受信とデジタル受信などの複数の受信機能を搭載するテレビ受信機のサーチ時間の高速化とコストダウンの課題に対して、チューナの共通化とサーチ時間の高速化を両立した受信装置を提供するものである。
【発明を実施するための最良の形態】
【００２０】
（実施の形態１）
以下に、本発明の実施の形態について、国内のデジタル放送を例に挙げ、図１、図３を用いて説明する。
【００２１】
図１は本実施の形態１におけるテレビ受信装置の構成図である。
【００２２】
図１は、デジタル方式の地上テレビ放送と、デジタル方式のケーブル放送に対応するテレビ受信装置であり、それぞれの受信系で差異部分であるデジタル復調処理回路、例えばＯＦＤＭ復調とＱＡＭ復調の処理回路以外のブロックは共用する構成である。
【００２３】
図１に示すテレビ受信装置は、地上波信号とケーブル放送の信号が入力される入力端子１０１と、入力されたテレビ信号から目的のチャンネルの信号を選局するチューナ回路１０２と、チューナ回路１０２に選局用のローカル周波数の信号を供給するＰＬＬ（Ｐｈａｓｅ  Ｌｏｃｋｅｄ  Ｌｏｏｐ）回路１０７と、例えば、必要な中間周波数帯域の信号のみを取り出すフィルタと信号増幅器などを有する第一の中間周波数回路１０３と、第一の中間周波数回路１０３が出力するＯＦＤＭ方式でデジタル変調されたアナログ信号を、デジタル変換しデジタル信号処理によりＴＳ（Ｔｒａｎｓｐｏｒｔ  Ｓｔｒｅａｍ）形式のデジタル信号を出力するＯＦＤＭ復調回路１０４と、ＴＳ形式のデジタルデータを映像、音声および制御情報のデータに分離するＴＳ分離部１０５と、ＴＳ分離部１０５から分離された符号化映像データと音声データを復号する映像・音声復号回路１０６と、ＴＳ分離部１０５から分離された制御情報を解析する制御情報複合回路１０８を有し、ＯＦＤＭ方式の地上テレビ放送に対応する構成となっている。ここでＯＦＤＭ復調回路１０４の周波数同期範囲は±１／７ＭＨｚ以上である。
【００２４】
また、図１に示すテレビ受信装置は、第一の中間周波数処理回路１０３が出力するＱＡＭ方式でデジタル変調されたアナログ信号を、デジタル変換しデジタル信号処理によりＴＳ形式のデジタル信号を出力するＱＡＭ復調回路１０９を備え、ＱＡＭ復調回路１０９の出力信号をＴＳ分離回路１０５に接続することで、ＱＡＭ方式のケーブルテレビ放送に対応する構成となっている。
【００２５】
また、記憶回路１１１はチャンネル選局やサーチ動作など受信動作に必要となるプログラムやデータを格納し、制御回路１１０は、記憶回路１１１に格納されたプログラムにより、チューナ１０２、ＰＬＬ回路１０７、ＯＦＤＭ復調回路１０４、ＱＡＭ復調回路１０９、ＴＳ分離回路１０５、および制御情報複合回路１０８の制御、あるいは状態を監視するものである。
【００２６】
国内の地上デジタル放送は、放送チャンネルはＵＨＦの１３ｃｈから６２ｃｈであるが、既存の地上アナログ放送からの干渉を弱めるために搬送波の中心周波数は＋１／７ＭＨｚオフセットさせ、例えば１３ｃｈは４７３＋１／７ＭＨｚ、１４ｃｈは４７９＋１／７ＭＨｚとしている。
【００２７】
一方、現行の地上アナログ放送の受信形態は、集合住宅共聴を含めると共同受信が全世帯のほぼ半数を占めており、共同受信の比率は年々増加の傾向にある。これらケーブル施設における伝送帯域は、ＵＨＦ帯まで広帯域化されていないものが大半であり、ＵＨＦのテレビジョン放送は、ＶＨＦ、ＭＩＤおよびＳＨＢ等の空きチャンネルにダウンコンバートして伝送しており、この場合もＵＨＦ帯同様に搬送波の中心周波数は＋１／７ＭＨｚオフセットすることになる。
【００２８】
このため特に据え型受信機など、共同受信が想定される地上デジタル放送用の受信機の受信チャンネルは、ＶＨＦ帯ではＶＨＦ１ｃｈ（９３＋１／７ＭＨｚ）からＶＨＦ１２ｃｈ（２１９＋１／７ＭＨｚ）、ＭＩＤ帯ではＣ１３ｃｈ（１１１＋１／７ＭＨｚ）からＣ２２ｃｈ（１６７＋１／７ＭＨｚ）、ＳＨＢ帯ではＣ２３ｃｈ（２２５＋１／７ＭＨｚ）からＣ６３ｃｈ（４６５＋１／７ＭＨｚ）にも対応するよう要求される。なお、地上デジタル放送はＯＦＤＭ変調方式を採用し、受信周波数の同期範囲は±３０ｋＨｚ以上と規格化されている。
【００２９】
一方、デジタル方式のケーブルテレビ放送では、地上デジタル放送のような中心周波数のオフセットはなく、放送チャンネルはＶＨＦ帯、ＭＩＤ帯、ＳＨＢ帯、およびＵＨＦ帯となっており、伝送方式はＱＡＭ変調方式である。
【００３０】
地上デジタル放送およびケーブルデジタル放送では、受信機設置時に放送サービスが行われているチャンネルを探索するチャンネルサーチという動作が必要で、この動作により放送サービスを示す番号、例えばｓｅｒｖｉｃｅ＿ＩＤと、そのサービスを選局するための情報、例えばチャンネル番号などを関連付けるテーブル、例えばサービスリストを作成し、番組選局に使用する。
【００３１】
表１に示す放送サービスが行われているケーブルによる共同受信世帯を例に取り、制御部１１０の処理について図３を用いて説明する。
【００３２】
【表１】
2006186516.tif 000003
【００３３】
ユーザーはまず視聴者居住地域を設定（Ｓ１０１）した後に、スキャン動作を開始（Ｓ１０２）させる。
【００３４】
周波数設定（Ｓ１０３）によりチューナにより希望チャンネルを選局し、選局したチャンネルにＱＡＭ信号かＯＦＤＭ信号が検出されるかをＱＡＭ同期（Ｓ１０４）とＯＦＤＭ同期（Ｓ１０５）で判定する。周波数設定ではＱＡＭ信号の搬送波中心周波数に対して、ＯＦＤＭ信号は＋１／７ＭＨｚのオフセットを持つが、ＱＡＭ信号と同一の周波数（オフセット周波数なし）に選局する。
【００３５】
ＱＡＭ同期判定された場合には、受信判定ステップ（Ｓ１０７）でＮＩＴなどの選局に関わる情報を取得し、最終周波数確認ステップ（Ｓ１０８）へ進む。一方、ＯＦＤＭ同期判定された場合には、受信判定ステップ（Ｓ１０６）で同様にＮＩＴなどを取得し、次ステップ（Ｓ１０８）へ進む。
【００３６】
このフローを最終周波数、この例ではＵＨＦ６２ｃｈまで実行し、ステップ１１０で地上デジタル放送とケーブル放送それぞれについてのサービスリストが提示され、居住地域に適合するリモコンキーに割り当てられる（Ｓ１１１）。
【００３７】
受信確認方法については例を図５に示す。
【００３８】
ＢＥＲ情報（Ｓ２００）およびＮＩＴ情報（Ｓ２０１）を取得し、新規ＴＳＩＤの場合にはサービスリストへ追加（Ｓ２０３）、既取得ＴＳＩＤの場合にはＢＥＲにより受信品質を判定し、既取得ＴＳＩＤより受信状況が良好な場合には、サービスリスト上のチャンネルをそのチャンネルへ切り替える。
【００３９】
なお、サーチ結果である地上デジタル放送に関するサービスリストは表２、ケーブル放送に関するサービスリストは表３に示す通りであり、記憶回路１１１で記憶される。
【００４０】
【表２】
2006186516.tif 000004
【００４１】
【表３】
2006186516.tif 000005
【００４２】
なお、制御部は単独で集積化、あるいはデジタル復調回路１０４、１０９やＴＳ分離、復号回路１０５、１０６と共に集積化することも可能である。
【００４３】
（実施の形態２）
次に、本実施の形態２における発明について、国内の地上デジタル放送と地上アナログ放送を例に挙げ、図２、図４を用いて説明する。
【００４４】
図２は本実施の形態２におけるテレビ受信装置の構成説明図である。
【００４５】
図２中の内、図１で説明した実施の形態１のテレビ受信装置と同様な機能を有する部分については、同じ符号を付与し重複する説明を省略する。
【００４６】
図２は、図１のテレビ受信装置に対して、ＱＡＭ方式の受信機能の代わりに、ＮＴＳＣ方式の受信機能が備わったものであり、入力されたＮＴＳＣ方式のアナログテレビ放送信号から目的のチャンネルの信号を選局するチューナ回路１０２とチューナ回路１０２に選局用のローカル周波数の信号を提供するＰＬＬ回路１０７と、例えば、必要な中間周波数帯域の信号のみを取り出すフィルターや隣接チャンネルの音声信号とラップなどを有する第二の中間周波数処理回路２０１と、ＮＴＳＣ方式の中間周波数信号を復調するＮＴＳＣ復調回路２０２と、復調されたＮＴＳＣ方式の映像信号や音声信号に対して、例えば、選択や合成あるいは強調処理などを実施して映像信号や音声信号を出力する映像・音声処理回路２０３を備えている。
【００４７】
国内の地上デジタル放送における受信機の対応チャンネルは、実施の形態１で説明した通り、ＵＨＦ帯の他、ＶＨＦ、ＭＩＤおよびＳＨＢのチャンネルで、いずれも搬送波の中心周波数は＋１／７ＭＨｚオフセットしたものである。なお、地上デジタル放送はＯＦＤＭ変調方式を採用し、受信周波数の同期範囲は±３０ｋＨｚ以上と規格化されている。
【００４８】
一方、地上アナログ放送は、地上デジタル放送のような中心周波数のオフセットはなく、放送チャンネルはＶＨＦ帯、ＭＩＤ帯、ＳＨＢ帯、およびＵＨＦ帯となっており、伝送方式はＮＴＳＣ方式である。
【００４９】
地上デジタル放送および地上アナログ放送では、一般に受信機設置時に放送サービスが行われているチャンネルを探索するチャンネルサーチという動作が必要である。地上デジタル放送では、このチャンネルサーチ動作により放送サービスを示す番号、例えばｓｅｒｖｉｃｅ＿ＩＤと、そのサービスを選局するための情報、例えばチャンネル番号などを関連付けるテーブル、例えばサービスリストを作成し、番組選局に使用する。地上アナログ放送では、チャンネルサーチ動作により放送の有無をＮＴＳＣ信号の検出により判定し、ＮＴＳＣ信号を検出したチャンネルを受信チャンネルとして、例えばチャンネルリストを作成し番組選局に使用する。
【００５０】
表４に示す放送サービスが行われている無線の地上波放送、あるいは共同受信世帯を例に取り、制御部１１０の処理について図４を用いて説明する。
【００５１】
【表４】
2006186516.tif 000006
【００５２】
ユーザーはまず視聴者居住地域を設定（Ｓ１０１）した後に、スキャン動作を開始（Ｓ１０２）させる。
【００５３】
周波数設定（Ｓ１０３）によりチューナにより希望チャンネルを選局し、選局したチャンネルにＮＴＳＣ信号かＯＦＤＭ信号が検出されるかをＮＴＳＣ同期（Ｓ１１２）とＯＦＤＭ同期（Ｓ１０５）で判定する。周波数設定ではＮＴＳＣ信号の搬送波中心周波数に対して、ＯＦＤＭ信号は＋１／７ＭＨｚのオフセットを持つが、ＮＴＳＣ信号と同一の周波数（オフセット周波数なし）に選局する。
【００５４】
ＮＴＳＣ同期判定された場合には、受信判定ステップ（Ｓ１１３）でＮＴＳＣの確認を終えた後、最終周波数確認ステップ（Ｓ１０８）へ進む。一方、ＯＦＤＭ同期判定された場合には、ＮＩＴなどの選局に関わる情報を取得し、最終周波数確認ステップ（Ｓ１０８）へ進む。
【００５５】
このフローを最終周波数、この例ではＵＨＦ６２ｃｈまで実行し、ステップ１１０で地上デジタル放送とケーブル放送それぞれについてのサービスリストが提示され、居住地域に適合するリモコンキーに割り当てられる（Ｓ１１１）。
【００５６】
受信確認方法については例を図５に示す。
【００５７】
ＢＥＲ情報（Ｓ２００）およびＮＩＴ情報（Ｓ２０１）を取得し、新規ＴＳＩＤの場合にはサービスリストへ追加（Ｓ２０３）、既取得ＴＳＩＤの場合にはＢＥＲにより受信品質を判定し、既取得ＴＳＩＤより受信状況が良好な場合には、サービスリスト上のチャンネルをそのチャンネルへ切り替える。
【００５８】
なお、サーチ結果である、地上デジタル放送に関するサービスリストは表５、地上アナログ放送に関するサービスリストは表６に示す通りであり、記憶回路１１１で記憶される。
【００５９】
【表５】
2006186516.tif 000007
【００６０】
【表６】
2006186516.tif 000008
【００６１】
なお、制御部は単独で集積化、あるいは復調回路１０４、２０２やＴＳ分離、復号回路１０５、１０６と共に集積化することも可能である。
【産業上の利用可能性】
【００６２】
本発明のテレビ受信装置は、地上波デジタル放送と、地上波アナログ放送あるいはデジタルケーブルの搬送波の中心周波数が１／７ＭＨｚ異なる放送環境下における、アナログ受信とデジタル受信などの複数の受信機能を搭載するテレビ受信機のサーチ時間の高速化とコストダウンの課題に対して、チューナの共通化とサーチ時間の高速化を両立した受信装置を提供するものであることから、デジタルテレビなどの受信装置における高性能・利便性の実現に有用である。
【図面の簡単な説明】
【００６３】
【図１】実施例１構成説明図
【図２】実施例２の構成説明図
【図３】実施例１の動作説明図
【図４】実施例２の動作説明図
【図５】実施例１、２の受信確認方法の動作説明図
【符号の説明】
【００６４】
１０１    入力端子
１０２    チューナ回路
１０３    第一の中間周波数処理回路
１０４    ＯＦＤＭ復調回路
１０５    ＴＳ分離回路
１０６    映像・音声復号回路
１０７    ＰＬＬ回路
１０８    制御情報復号回路
１０９    ＱＡＭ復調回路
１１０    制御回路
１１１    記憶回路
１１２    映像信号
１１３    音声信号
２０１    第二の中間周波数処理回路
２０２    ＮＴＳＣ復調回路
２０３    映像・音声処理回路
３０１    チャンネル番号
３０２    搬送波の中心周波数
３０３    放送波種別
３０４    変調方式
３０５    サービスＩＤ（あるいはＴＳＩＤ）
【図１】
2006186516.tif 000009
【図２】
2006186516.tif 000010
【図３】
2006186516.tif 000011
【図４】
2006186516.tif 000012
【図５】
2006186516.tif 000013